(57)【要約】【課題】組付け容易にして且つ強度性および風雨の侵入防止に優れた且つ古い瓦捧を取り除くことなく可能な屋根板装置に関する【解決手段】両端に直立部と第１および第２曲成部と第１および第２水返し部をその両端間に複数のリブを屈曲係成した屋根板材と、両側に取り付け部および直立部を形成しその間を瓦棒収納部とすると共にその上部に第２支持部を有する支持部材と、半円状にして両側端に係合部と排出路およびリブを屈曲形成したキヤップ材とより成り、モヤ材に固定された支持部材の曲成部に第１および第２の水返し部を有する屋根板材の曲成部を係合させ、且つ該屋根板材の曲成部にキヤップ材の係合部を係合させることにより、第１および第２のエアーポケットを形成してなる。【選択図】        図４
2004316385.tif 000002
【特許請求の範囲】
【請求項１】
両端に直立部と第１および第２曲成部と第１および第２水返し部をその両端間に複数のリブを屈曲形成した屋根板材と、両側に取り付け部および直立部を形成しその間を古い瓦棒収容部とすると共にその上部に第２支持部を有する支持部材と、半円状にして両側端に係合部と排出路およびリブを屈曲形成したキャップ材とより成り、モヤ材に固定された支持部材の曲成部に第１および第２の水返し部を有する屋根板材の曲成部を係合させ、且つ該屋根材の曲成部にキャップ材の係合部を係合させることにより、第１および第２のエアーポケットを形成して成る屋根板装置。
【発明の詳細な説明】
【０００１】
【産業上の利用分野】
本発明は、格別な工具類を用いることなく、容易迅速にして強固にしかも古い瓦棒を取り除くことなく屋根板材を係合取付けることのできるようにしたリフオーム用に優れた屋根板装置に関するものである。
【０００２】
【従来の技術】
従来より各種の屋根板材を組付ける装置が提案されてはいる。
【０００３】
しかしこれら従来例たる特開平７−１１９２５６号は構造的に複雑であると共にその組付け作業にも相当な手数を用するため、屋根葺きコストが高価になる等多くの不利を有するものである。
【０００４】
【発明が解決しようとする課題】
本発明は、屋根板材と支持部材とキャップ材を夫々曲成加工して形成したことで強度性と弾性を有し、このため特別の工具類を用いることなく且つ支持部材に工夫を施したことで古い瓦棒を取り除くことなくしかも手作業のみでこれら部材の取付け加工が可能となった。
【０００５】
かくして格別の技術者でなくとも屋根葺き加工ができるようになり、人件費の抑制と共に作業性の向上と能率化によって、低コストでもって屋根葺き加工が行わしめられるようになった。
【０００６】
【問題を解決するための手段】
本発明は、屋根板材と支持部材およびキャップ材の夫々を曲成加工したことにより、格別の工具類を用いることなくして手作業のみで弾性にして強度性を有する組付けがなされるようにしたものである。
【０００７】
【作用】
本発明は、屋根板材と支持部材およびキャップ材を格別の工具類を用いることなく手作業で係合させることにより、風圧にも耐えられる強度を有すると共に風雨の侵入も的確に防止できるものである。
【０００８】
【発明の実施の形態】
以下、本発明の具体的実施例を添付図面によって説明する。
【０００９】
【実施例】
図１は曲成加工された屋根板材１であって長尺に形成されており、その両端には直立部２と内方へ曲成３して形成された第１水返部４と第１傾斜部５および曲成部６を介した第２傾斜部７とその上端を内方へ曲成して形成された第２水返部８が夫々形成されている。
【００１０】
また屋根板材１の一端と他端間には、複数のリブ９が形成されており、これらリブ９によって屋根板材残態の膨張収縮に適切に対応できると共に、薄層材であっても強度性を高めると共に適度の弾性を有するものである。
【００１１】
図２は曲成加工された支持部材１０であって、古い瓦棒の収容部１１を介しその両側にモヤ材にビスで取付け固定する取付け部１２および前記した屋根板材１の直立部と当接する直立部１３が形成され、且つその上部には前記した屋根板材１の曲成部７に係合するための支持部１４が形成されている。
【００１２】
また支持部材１０には第２支持部材１５が一体的に固着されており、該第２支持部材１５の両側に形成された外方への支持部１６は、屋根板材１の第２傾斜部にリブ１７によって固定される。
【００１３】
図３は半円状に曲成加工されたキヤップ材１８にして、屋根板材１と支持部材１０の上端部分を覆うものであり、該キャップ材１８の両側端には内方へ屈曲した係合部１９が形成され、該係合部１９は屋根板材１の屈曲部３に係合固定される。
【００１４】
またキャップ材１８の係合部１９の屈曲内側は吹付け侵入した風雨を排出するための排出路２０とせられ、且つ上面の横方向にはリブ２１が形成されたことで、キヤップ材１８全体を薄層材であってもその強度性を高めるものである。
【００１５】
図４は屋根板材１と支持部材１０およびキヤップ材１８の組付け関係を示すものである。
【００１６】
即ち、モヤ材に固定された支持部材１０の支持部１６に屋根板材１の取付け部７をビス１４にて取付け固定させ、更にキヤップ材１８の係合部１９を前記した屋根板材１の曲成部３に係合覆着させることにより前記３個の部材が強固に組付けられると共に、第１エアーポケット２２および第２エアーポケット２３が形成されていて風雨の侵入を確実に防止することができる。
【００１７】
【発明の効果】
上記したような本発明によると、モヤ材に固定された支持部材１０と屋根板材１をビス止めする以外は、屋根板材１およびキャップ材１８は夫々屈曲加工された屈曲部を係合させることで組付けられることができ、且つ支持部材１０は古い瓦棒２４を取り除くことなく収容可能な収容部１１を有するためリフオーム用としても優れると共に格別な技術を要せずして行うことができるので、作業時間の短縮とも相俟って低価格で提供できる。
また支持部材は２段形式の支持部を構成しているため、屋根板材とキヤップ材を強固に支持することが可能となった。
更に上記のようにして組付けられた本発明の屋根板装置の内部に侵入せんとする風雨は、先ず第１の水返し部４でもって防止され、該水返し部４を通過した風雨は次の排出路２０で外部に排出される。
この排出路２０で排出もれした風雨は、第１のエアーポケット２２によって侵入を防止され、該第１のエアーポケット２２を通過した風雨は第２のエアーポケット２３によって防止されるものである。
更には前記した第２のエアーポケット２３を通過した風雨は、第２の水返し部８によって防止されるもので、かくして風雨の内部への侵入は確実に防止されるから、屋根板装置の耐用年数の向上にも寄与することができる。
しかも屋根板材１とキヤップ材１８には、夫々リブを形成しているため薄層材であっても膨張収縮のも耐えられる等の十分な強度を有し、このため組付け作業時に作業者が作業しては勿論のこと、強風にも十分に耐えられるものであり、加えて屈曲加工しているために適度の弾性を有するので組付け作業も円滑に行わしめられる等、多くの利点を有する実用上工業上優れた発明である。
【００１８】
【図面の簡単な説明】
【図１】本発明屋根板装置を構成する屋根板材の斜視図である。
【図２】本発明屋根板装置を構成する支持部材の斜視図である。
【図３】本発明屋根板装置を構成するキヤップ材の斜視図である。
【図４】本発明屋根板装置の組付け関係を示す正面図である。
【符号の説明】
１    屋根板材
２    直立部
３    曲成部
４    第１の水返し部
８    第２の水返し部
９    リブ
１０    支持部材
１１    古い瓦棒の収容部
１２    取付部
１３    直立部
１４    支持部
１５    第２支持部材
１６    支持部
１７    ビス
１８    キャップ材
１９    係合部
２０    排出路
２２    第１のエアーポケット
２３    第２のエアーポケット
【図１】
2004316385.tif 000003
【図２】
2004316385.tif 000004
【図３】
2004316385.tif 000005
【図４】
2004316385.tif 000006